【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】
波長λ１の第１光源と、波長λ２（λ１＜λ２）の第２光源と、波長λ３（１．６・λ１≦λ３≦２．０・λ１且つλ２＜λ３）の第３光源と、光学素子を含む集光光学系とを有し、前記集光光学系が、前記第１光源からの光束を、厚さｔ１の保護層を介して第１光情報記録媒体の情報記録面に集光させることによって、情報の記録及び／又は再生を行うことが可能となっており、又、前記第２光源からの光束を、厚さｔ２（０．８・ｔ１≦ｔ２≦１．２・ｔ１）の保護層を介して第２光情報記録媒体の情報記録面に集光させることによって、情報の記録及び／又は再生を行うことが可能となっており、更に前記第３光源からの光束を、厚さｔ３（１．９・ｔ１≦ｔ３≦２．１・ｔ１）の保護層を介して第３光情報記録媒体の情報記録面に集光させることによって、情報の記録及び／又は再生を行うことが可能となっている光ピックアップ装置用の光学素子において、
前記光学素子の少なくとも１面には回折構造が設けられ、前記第１光情報記録媒体、前記第２光情報記録媒体及び前記第３光情報記録媒体に対してそれぞれ記録及び／又は再生を行う際に、前記第１光源、前記第２光源、及び前記第３光源からそれぞれ照射された光束は、前記回折構造を共通して通過した後、前記第１光情報記録媒体、前記第２光情報記録媒体、及び前記第３光情報記録媒体の情報記録面のそれぞれに集光されてスポットを形成するようになっており、
更に、前記波長λ１、λ３の光束が前記光学素子に入射した場合に、前記回折構造により発生する回折光のうち、最大の回折効率を有する回折光束の次数をそれぞれｎ１、ｎ３（ｎ１、ｎ３は自然数）とすると、
１．１ ≧（ｎ１×λ１）／（ｎ３×λ３）≧ ０．９       （１）
を満たすことを特徴とする光ピックアップ装置用の光学素子。
【請求項２】
前記次数ｎ１，ｎ３は、
ｎ１：ｎ３＝２：１               （２）
を満たすことを特徴とする請求項１に記載の光ピックアップ装置用の光学素子。
【請求項３】
前記波長λ１の光束に対する前記光学素子の光学系倍率をｍ１とすると、
ｍ１＝０                       （３）
であることを特徴とする請求項２に記載の光ピックアップ装置用の光学素子。
【請求項４】
前記波長λ３の光束に対する前記光学素子の光学系倍率をｍ３とすると、
−１／１２．０≦ ｍ３ ≦ −１／１６．０           （４）
であることを特徴とする請求項２又は３に記載の光ピックアップ装置用の光学素子。
【請求項５】
前記波長λ２の光束が前記光学素子に入射した場合に、前記回折構造により発生する回折光のうち、最大の回折効率を有する回折光束の次数をｎ２（ｎ２は自然数）とすると、
（ｎ２×λ２）／（ｎ３×λ３）≦ １                     （５）
であることを特徴とする請求項２乃至４のいずれかに記載の光ピックアップ装置用の光学素子。
【請求項６】
前記波長λ２の光束に対する前記光学素子の光学系倍率をｍ２とすると、
−１／１２．０≦ ｍ２ ≦ −１／１７．０           （６）
であることを特徴とする請求項５に記載の光ピックアップ装置用の光学素子。
【請求項７】
前記波長λ２の光束を出射する第２光源と、前記波長λ３の光を出射する第３光源とがユニット化されていることを特徴とする請求項６に記載の光ピックアップ装置用の光学素子。
【請求項８】
前記波長λ２の光束が前記光学素子に入射した場合に、前記回折構造により発生する回折光のうち、最大の回折効率を有する回折光束の次数をｎ２（ｎ２は自然数）とすると、
（ｎ１×λ１）／（ｎ２×λ２）≦ １                     （７）
であることを特徴とする請求項２乃至４のいずれかに記載の光ピックアップ装置用の光学素子。
【請求項９】
前記波長λ２の光束に対する前記光学素子の光学系倍率をｍ２とすると、
ｍ２＝０               （８）
であることを特徴とする請求項３，４又は８に記載の光ピックアップ装置用の光学素子。
【請求項１０】
前記回折構造は、光源波長がより長くなるよう変化すると、前記回折構造を通過した光束において球面収差をよりアンダーにする光学特性を有することを特徴とする請求項６又は９に記載の光ピックアップ装置用の光学素子。
【請求項１１】
前記波長λ１の光束を出射する第１光源と、前記波長λ２の光を出射する第２光源とがユニット化されていることを特徴とする請求項９又は１０に記載の光ピックアップ装置用の光学素子。
【請求項１２】
前記光学素子が対物レンズであることを特徴とする請求項２乃至１１のいずれかに記載の光ピックアップ装置用の光学素子。
【請求項１３】
前記光学素子の少なくとも一つの光学面は、
前記第１光情報記録媒体、前記第２光情報記録媒体及び前記第３光情報記録媒体に対してそれぞれ記録及び／又は再生を行うために、前記第１光源、前記第２光源及び前記第３光源からそれぞれ照射された波長λ１，λ２及びλ３の光束を通過させる第１領域と、
前記第１光情報記録媒体及び前記第２光情報記録媒体に対してそれぞれ記録及び／又は再生を行うために、前記第１光源及び前記第２光源からそれぞれ照射された波長λ１及びλ２の光束を通過させるが、前記第３光源から照射された波長λ３の光束が通過しないダイクロイックコートを施した第２領域と、を有することを特徴とする請求項１乃至１２のいずれかに記載の光ピックアップ装置用の光学素子。
【請求項１４】
前記光学素子の少なくとも一つの光学面は、
前記第１光情報記録媒体、前記第２光情報記録媒体及び前記第３光情報記録媒体に対してそれぞれ記録及び／又は再生を行うために、前記第１光源、前記第２光源及び前記第３光源からそれぞれ照射された波長λ１，λ２及びλ３の光束を通過させる第１領域と、
前記第１光情報記録媒体及び前記第２光情報記録媒体に対してそれぞれ記録及び／又は再生を行うために、前記第１光源及び前記第２光源からそれぞれ照射された波長λ１及びλ２の光束を通過させて情報記録面に集光させるが、前記第３光源から照射された波長λ３の光束が通過しても情報記録面に集光させない第２領域と、を有し、
前記第１領域には第１回折構造が設けられており、前記第２領域には第２回折構造が設けられており、
前記第１回折構造により生じる波長λ１の回折光のうち、最大の回折効率を有する回折光の次数をｎ１Ａとし、前記第１回折構造により生じる波長λ２の回折光のうち、最大の回折効率を有する回折光の次数をｎ１Ｄとし、
前記第２回折構造により生じる波長λ１の回折光のうち、最大の回折効率を有する回折光の次数をｎ２Ａとし、前記第２回折構造により生じる波長λ２の回折光のうち、最大の回折効率を有する回折光の次数をｎ２Ｄとしたときに、
ｎ１Ａ：ｎ１Ｄ≠ｎ２Ａ：ｎ２Ｄ         （９）
であることを特徴とする請求項１乃至１２のいずれかに記載の光ピックアップ装置用の光学素子。
【請求項１５】
前記光学素子の少なくとも一つの光学面は、
前記第１光情報記録媒体、前記第２光情報記録媒体及び前記第３光情報記録媒体に対してそれぞれ記録及び／又は再生を行うために、前記第１光源、前記第２光源及び前記第３光源からそれぞれ照射された波長λ１，λ２及びλ３の光束を通過させる第１領域と、
前記第１光情報記録媒体及び前記第２光情報記録媒体に対してそれぞれ記録及び／又は再生を行うために、前記第１光源及び前記第２光源からそれぞれ照射された波長λ１及びλ２の光束を通過させて情報記録面に集光させるが、前記第３光源から照射された波長λ３の光束が通過しても情報記録面に集光させない第２領域と、を有し、
前記第１領域には第１回折構造が設けられており、前記第２領域には第２回折構造が設けられており、
前記第１回折構造により生じる波長λ１の回折光のうち、最大の回折効率を有する回折光の次数をｎ１Ａとし、前記第１回折構造により生じる波長λ２の回折光のうち、最大の回折効率を有する回折光の次数をｎ１Ｄとし、
前記第２回折構造により生じる波長λ１の回折光のうち、最大の回折効率を有する回折光の次数をｎ２Ａとし、前記第２回折構造により生じる波長λ２の回折光のうち、最大の回折効率を有する回折光の次数をｎ２Ｄとしたときに、
ｎ１Ａ：ｎ１Ｄ＝ｎ２Ａ：ｎ２Ｄ         （１０）
であり、ｎ２Ａは奇数であることを特徴とする請求項１乃至１２のいずれかに記載の光ピックアップ装置用の光学素子。
【請求項１６】
前記第２回折構造により生じる波長λ３の回折光のうち、最大の回折効率は６０％以下であることを特徴とする請求項１５に記載の光ピックアップ装置用の光学素子。
【請求項１７】
前記波長λ１の光束に対して色補正を行うことを特徴とする請求項１５又は１６に記載の光ピックアップ装置用の光学素子。
【請求項１８】
波長λ１の第１光源と、波長λ２（λ１＜λ２）の第２光源と、波長λ３（１．６・λ１≦λ３≦２．０・λ１且つλ２＜λ３）の第３光源と、光学素子を含む集光光学系とを有し、前記集光光学系が、前記第１光源からの光束を、厚さｔ１の保護層を介して第１光情報記録媒体の情報記録面に集光させることによって、情報の記録及び／又は再生を行うことが可能となっており、又、前記第２光源からの光束を、厚さｔ２（０．８・ｔ１≦ｔ２≦１．２・ｔ１）の保護層を介して第２光情報記録媒体の情報記録面に集光させることによって、情報の記録及び／又は再生を行うことが可能となっており、更に前記第３光源からの光束を、厚さｔ３（１．９・ｔ１≦ｔ３≦２．１・ｔ１）の保護層を介して第３光情報記録媒体の情報記録面に集光させることによって、情報の記録及び／又は再生を行うことが可能となっている光ピックアップ装置において、
前記光学素子の少なくとも１面には第１回折構造が設けられ、前記第１光情報記録媒体、前記第２光情報記録媒体及び前記第３光情報記録媒体に対してそれぞれ記録及び／又は再生を行う際に、前記第１光源、前記第２光源、及び前記第３光源からそれぞれ照射された光束は、前記第１回折構造を共通して通過した後、前記第１光情報記録媒体、前記第２光情報記録媒体、及び前記第３光情報記録媒体の情報記録面のそれぞれに集光されてスポットを形成するようになっており、
更に、前記波長λ１、λ３の光束が前記光学素子に入射した場合に、前記第１回折構造により発生する回折光のうち、最大の回折効率を有する回折光束の次数をそれぞれｎ１、ｎ３（ｎ１、ｎ３は自然数）とすると、
１．１ ≧（ｎ１×λ１）／（ｎ３×λ３）≧ ０．９         （１）
を満たすことを特徴とする光ピックアップ装置。
【請求項１９】
前記第３光源はホロレーザであることを特徴とする請求項１８に記載の光ピックアップ装置。
【請求項２０】
前記波長λ１の光束の光路上に、前記波長λ１の光束について色収差補正を行うための第１色収差補正素子が配置されていることを特徴とする請求項１８に記載の光ピックアップ装置。
【請求項２１】
前記光学素子が、請求項２乃至１７のいずれかに記載の光学素子であることを特徴とする請求項１８に記載の光ピックアップ装置。
【手続補正２】
【補正対象書類名】明細書
【補正対象項目名】００１１
【補正方法】変更
【補正の内容】
【００１１】
請求項２又は３に記載の発明において、前記波長λ３の光束に対する前記光学素子の光学系倍率をｍ３とすると、
−１／１２．０≦ ｍ３ ≦ −１／１３．４     （４’）
であると、より好ましい。
【手続補正３】
【補正対象書類名】明細書
【補正対象項目名】００１２
【補正方法】変更
【補正の内容】
【００１２】
請求項５に記載の光ピックアップ装置用の光学素子は、請求項２乃至４のいずれかに記載の発明において、前記波長λ２の光束が前記光学素子に入射した場合に、前記回折構造により発生する回折光のうち、最大の回折効率を有する回折光束の次数をｎ２（ｎ２は自然数）とすると、
（ｎ２×λ２）／（ｎ３×λ３）≦ １         （５）
であることを特徴とする。設計的には（ｎ２×λ２）は、種々の値を取り得るが、いわゆる２レーザ１パッケージと呼ばれる、現在実用化されている前記第２光源と前記第３光源とを同じ基板上に配置したユニット光源を用いる場合、どちらの光源からの光束に対しても前記光学素子の光学系倍率を等しくする必要がある。そこで、（５）式を満たすようにすることで、前記波長λ２の光束に対する前記光学素子の光学系倍率と、前記波長λ３の光束に対する前記光学素子の光学系倍率とを等しくできるようにしている。
【手続補正４】
【補正対象書類名】明細書
【補正対象項目名】００１３
【補正方法】変更
【補正の内容】
【００１３】
請求項６に記載の光ピックアップ装置用の光学素子は、請求項５に記載の発明において、前記波長λ２の光束に対する前記光学素子の光学系倍率をｍ２とすると、
−１／１２．０≦ ｍ２ ≦ −１／１７．０           （６）
であるので、いわゆる２レーザ１パッケージのごときユニット光源を用いることができる。
【手続補正５】
【補正対象書類名】明細書
【補正対象項目名】００１４
【補正方法】変更
【補正の内容】
【００１４】
請求項５に記載の発明において、前記波長λ２の光束に対する前記光学素子の光学系倍率をｍ２とすると、
−１／１２．０≦ ｍ２ ≦ −１／１３．４         （６’）
であると、より好ましい。
【手続補正６】
【補正対象書類名】明細書
【補正対象項目名】００１５
【補正方法】変更
【補正の内容】
【００１５】
請求項７に記載の光ピックアップ装置用の光学素子は、請求項６に記載の発明において、前記波長λ２の光束を出射する第２光源と、前記波長λ３の光を出射する第３光源とがユニット化され、いわゆる２レーザ１パッケージのごときユニット光源となっていれば、光ピックアップ装置のコンパクト化が図れる。尚、「光源がユニット化される」とは、例えば２つの光源が同一基板上に取り付けられて一体化されたごとき構成をいうが、これに限られることはない。
【手続補正７】
【補正対象書類名】明細書
【補正対象項目名】００１６
【補正方法】変更
【補正の内容】
【００１６】
請求項８に記載の光ピックアップ装置用の光学素子は、請求項２乃至４のいずれかに記載の発明において、前記波長λ２の光束が前記光学素子に入射した場合に、前記回折構造により発生する回折光のうち、最大の回折効率を有する回折光束の次数をｎ２（ｎ２は自然数）とすると、
（ｎ１×λ１）／（ｎ２×λ２）≦ １             （７）
であると好ましい。将来的には、前記第１光源と前記第２光源とを同じ基板上に配置したユニット光源も開発されることが十分予想され、かかる場合、どちらの光源からの光束に対しても前記光学素子の光学系倍率を等しくする必要がある。そこで、（７）式を満たすようにすることで、前記波長λ１の光束に対する前記光学素子の光学系倍率と、前記波長λ２の光束に対する前記光学素子の光学系倍率とを等しくできるようにしている。
【手続補正８】
【補正対象書類名】明細書
【補正対象項目名】００１７
【補正方法】変更
【補正の内容】
【００１７】
請求項９に記載の光ピックアップ装置用の光学素子は、請求項３，４又は８に記載の発明において、前記波長λ２の光束に対する前記光学素子の光学系倍率をｍ２とすると、
ｍ２＝０             （８）
であるので、いわゆる前記第１光源と前記第２光源とが同一基板上に配置されたユニット光源が開発されたとき、これを用いることができる。尚、以上の発明の趣旨から解釈して、光学系倍率ｍ２＝０というときは、１％程度の誤差を見込み、少なくとも｜ｍ２｜≦１／１００の場合を含むものとする。
【手続補正９】
【補正対象書類名】明細書
【補正対象項目名】００１８
【補正方法】変更
【補正の内容】
【００１８】
請求項１０に記載の光ピックアップ装置用の光学素子は、請求項６又は９に記載の発明において、前記回折構造が、光源波長がより長くなるよう変化すると、前記回折構造を通過した光束において球面収差をよりアンダーにする光学特性を有することを特徴とする。前記回折構造が、光源波長がより長くなるよう変化すると、前記回折構造を通過した光束において球面収差をよりアンダーにする光学特性を有しているので、前記回折構造に各光源からの光束を通過させることで、屈折効果により温度変化時に生じる球面収差や光源のロット間バラツキが原因で生じる球面収差を減少させる方向に補正を行えるため、その集光スポットにおける波面収差をより小さく抑えることができる。
【手続補正１０】
【補正対象書類名】明細書
【補正対象項目名】００１９
【補正方法】変更
【補正の内容】
【００１９】
請求項１１に記載の光ピックアップ装置用の光学素子は、請求項９又は１０に記載の発明において、前記波長λ１の光束を出射する第１光源と、前記波長λ２の光を出射する第２光源とがユニット化されていると、光ピックアップ装置のコンパクト化が図れる。
【手続補正１１】
【補正対象書類名】明細書
【補正対象項目名】００２０
【補正方法】変更
【補正の内容】
【００２０】
請求項１２に記載の光ピックアップ装置用の前記光学素子は、請求項２乃至１１のいずれかに記載の発明において、対物レンズであると好ましいが、これに限られることはない。
【手続補正１２】
【補正対象書類名】明細書
【補正対象項目名】００２１
【補正方法】変更
【補正の内容】
【００２１】
請求項１３に記載の光ピックアップ装置用の光学素子は、請求項１乃至１２のいずれかに記載の発明において、前記光学素子の少なくとも一つの光学面は、前記第１光情報記録媒体、前記第２光情報記録媒体及び前記第３光情報記録媒体に対してそれぞれ記録及び／又は再生を行うために、前記第１光源、前記第２光源及び前記第３光源からそれぞれ照射された波長λ１，λ２及びλ３の光束を通過させる第１領域と、前記第１光情報記録媒体及び前記第２光情報記録媒体に対してそれぞれ記録及び／又は再生を行うために、前記第１光源及び前記第２光源からそれぞれ照射された波長λ１及びλ２の光束を通過させるが、前記第３光源から照射された波長λ３の光束が通過しないダイクロイックコートを施した第２領域と、を有していると、前記第３光情報記録媒体に対して適切に情報の記録及び／又は再生を行える。
【手続補正１３】
【補正対象書類名】明細書
【補正対象項目名】００２２
【補正方法】変更
【補正の内容】
【００２２】
請求項１３に記載の発明において、前記ダイクロイックコートが施されている光学面には、回折構造が設けられていないと、コートムラの要因を減少させることができる。
【手続補正１４】
【補正対象書類名】明細書
【補正対象項目名】００２３
【補正方法】変更
【補正の内容】
【００２３】
請求項１４に記載の光ピックアップ装置用の光学素子は、請求項１乃至１２のいずれかに記載の発明において、前記光学素子の少なくとも一つの光学面は、前記第１光情報記録媒体、前記第２光情報記録媒体及び前記第３光情報記録媒体に対してそれぞれ記録及び／又は再生を行うために、前記第１光源、前記第２光源及び前記第３光源からそれぞれ照射された波長λ１，λ２及びλ３の光束を通過させる第１領域と、前記第１光情報記録媒体及び前記第２光情報記録媒体に対してそれぞれ記録及び／又は再生を行うために、前記第１光源及び前記第２光源からそれぞれ照射された波長λ１及びλ２の光束を通過させて情報記録面に集光させるが、前記第３光源から照射された波長λ３の光束が通過しても情報記録面に集光させない第２領域と、を有し、前記第１領域には第１回折構造が設けられており、前記第２領域には第２回折構造が設けられており、前記第１回折構造により生じる波長λ１の回折光のうち、最大の回折効率を有する回折光の次数をｎ１Ａとし、前記第１回折構造により生じる波長λ２の回折光のうち、最大の回折効率を有する回折光の次数をｎ１Ｄとし、前記第２回折構造により生じる波長λ１の回折光のうち、最大の回折効率を有する回折光の次数をｎ２Ａとし、前記第２回折構造により生じる波長λ２の回折光のうち、最大の回折効率を有する回折光の次数をｎ２Ｄとしたときに、
ｎ１Ａ：ｎ１Ｄ≠ｎ２Ａ：ｎ２Ｄ       （９）
であることを特徴とする。
【手続補正１５】
【補正対象書類名】明細書
【補正対象項目名】００２５
【補正方法】変更
【補正の内容】
【００２５】
請求項１５に記載の光ピックアップ装置用の光学素子は、請求項１乃至１２のいずれかに記載の発明において、前記光学素子の少なくとも一つの光学面は、前記第１光情報記録媒体、前記第２光情報記録媒体及び前記第３光情報記録媒体に対してそれぞれ記録及び／又は再生を行うために、前記第１光源、前記第２光源及び前記第３光源からそれぞれ照射された波長λ１，λ２及びλ３の光束を通過させる第１領域と、前記第１光情報記録媒体及び前記第２光情報記録媒体に対してそれぞれ記録及び／又は再生を行うために、前記第１光源及び前記第２光源からそれぞれ照射された波長λ１及びλ２の光束を通過させて情報記録面に集光させるが、前記第３光源から照射された波長λ３の光束が通過しても情報記録面に集光させない第２領域と、を有し、前記第１領域には第１回折構造が設けられており、前記第２領域には第２回折構造が設けられており、前記第１回折構造により生じる波長λ１の回折光のうち、最大の回折効率を有する回折光の次数をｎ１Ａとし、前記第１回折構造により生じる波長λ２の回折光のうち、最大の回折効率を有する回折光の次数をｎ１Ｄとし、前記第２回折構造により生じる波長λ１の回折光のうち、最大の回折効率を有する回折光の次数をｎ２Ａとし、前記第２回折構造により生じる波長λ２の回折光のうち、最大の回折効率を有する回折光の次数をｎ２Ｄとしたときに、
ｎ１Ａ：ｎ１Ｄ＝ｎ２Ａ：ｎ２Ｄ       （１０）
であり、ｎ２Ａは奇数であることを特徴とする。
【手続補正１６】
【補正対象書類名】明細書
【補正対象項目名】００２７
【補正方法】変更
【補正の内容】
【００２７】
請求項１５に記載の発明において、ｎ２Ａ＝５、ｎ２Ｄ＝３であると、適切な次数の回折光を用いて前記第１及び第２光情報記録媒体に対して適切に情報の記録及び／又は再生を行える。
【手続補正１７】
【補正対象書類名】明細書
【補正対象項目名】００２８
【補正方法】変更
【補正の内容】
【００２８】
請求項１５に記載の発明において、ｎ２Ａ＝３、ｎ２Ｄ＝２であると、適切な次数の回折光を用いて前記第１及び第２光情報記録媒体に対して適切に情報の記録及び／又は再生を行える。
【手続補正１８】
【補正対象書類名】明細書
【補正対象項目名】００２９
【補正方法】変更
【補正の内容】
【００２９】
請求項１６に記載の光ピックアップ装置用の光学素子は、請求項１５に記載の発明において、前記第２回折構造により生じる波長λ３の回折光のうち、最大の回折効率は６０％以下であることを特徴とするので、前記第３光情報記録媒体に対して適切に情報の記録及び／又は再生を行える。
【手続補正１９】
【補正対象書類名】明細書
【補正対象項目名】００３０
【補正方法】変更
【補正の内容】
【００３０】
請求項１７に記載の光ピックアップ装置用の光学素子は、請求項１５又は１６に記載の発明において、前記波長λ１の光束に対して色補正を行うことを特徴とする。波長λ１とλ２の光が入射した場合に生じる最大の回折効率を有する回折次数の組み合わせが第１回折構造と第２回折構造とで異なる場合は、回折の近軸パワーを利用してそれぞれの領域を通過した回折光の集光位置を一致させる必要がある。これに対し、（１０）式を満たせば、回折の近軸パワーを利用して、前記波長λ１又はλ２の光束に対して色補正を行うことができるため、前記第１の光情報記録媒体に対してより適切に情報の記録及び／又は再生を行える。
【手続補正２０】
【補正対象書類名】明細書
【補正対象項目名】００３１
【補正方法】変更
【補正の内容】
【００３１】
請求項１８に記載の光ピックアップ装置は、波長λ１の第１光源と、波長λ２（λ１＜λ２）の第２光源と、波長λ３（１．６・λ１≦λ３≦２．０・λ１且つλ２＜λ３）の第３光源と、光学素子を含む集光光学系とを有し、前記集光光学系が、前記第１光源からの光束を、厚さｔ１の保護層を介して第１光情報記録媒体の情報記録面に集光させることによって、情報の記録及び／又は再生を行うことが可能となっており、又、前記第２光源からの光束を、厚さｔ２（０．８・ｔ１≦ｔ２≦１．２・ｔ１）の保護層を介して第２光情報記録媒体の情報記録面に集光させることによって、情報の記録及び／又は再生を行うことが可能となっており、更に前記第３光源からの光束を、厚さｔ３（１．９・ｔ１≦ｔ３≦２．１・ｔ１）の保護層を介して第３光情報記録媒体の情報記録面に集光させることによって、情報の記録及び／又は再生を行うことが可能となっている光ピックアップ装置において、
前記光学素子の少なくとも１面には第１回折構造が設けられ、前記第１光情報記録媒体、前記第２光情報記録媒体及び前記第３光情報記録媒体に対してそれぞれ記録及び／又は再生を行う際に、前記第１光源、前記第２光源、及び前記第３光源からそれぞれ照射された光束は、前記第１回折構造を共通して通過した後、前記第１光情報記録媒体、前記第２光情報記録媒体、及び前記第３光情報記録媒体の情報記録面のそれぞれに集光されてスポットを形成するようになっており、
更に、前記波長λ１、λ３の光束が前記光学素子に入射した場合に、前記第１回折構造により発生する回折光のうち、最大の回折効率を有する回折光束の次数をそれぞれｎ１、ｎ３（ｎ１、ｎ３は自然数）とすると、
１．１ ≧（ｎ１×λ１）／（ｎ３×λ３）≧ ０．９       （１）
を満たすことを特徴とする。本発明の作用効果は、請求項１に記載の発明と同様である。
【手続補正２１】
【補正対象書類名】明細書
【補正対象項目名】００３２
【補正方法】変更
【補正の内容】
【００３２】
請求項１８に記載の発明において、前記次数ｎ１，ｎ３は、
ｎ１：ｎ３＝２：１       （２）
を満たすと好ましい。本構成の作用効果は、請求項２に記載の発明と同様である。
【手続補正２２】
【補正対象書類名】明細書
【補正対象項目名】００３３
【補正方法】変更
【補正の内容】
【００３３】
請求項１８に記載の発明において、前記波長λ１の光束に対する前記光学素子の光学系倍率をｍ１とすると、
ｍ１＝０                 （３）
であると好ましい。本構成の作用効果は、請求項３に記載の発明と同様である。
【手続補正２３】
【補正対象書類名】明細書
【補正対象項目名】００３４
【補正方法】変更
【補正の内容】
【００３４】
請求項１８に記載の発明において、前記波長λ３の光束に対する前記光学素子の光学系倍率をｍ３とすると、
−１／１２．０≦ ｍ３ ≦ −１／１６．０         （４）
であると好ましい。本構成の作用効果は、請求項４に記載の発明と同様である。
【手続補正２４】
【補正対象書類名】明細書
【補正対象項目名】００３５
【補正方法】変更
【補正の内容】
【００３５】
請求項１８に記載の発明において、前記波長λ３の光束に対する前記光学素子の光学系倍率をｍ３とすると、
−１／１２．０≦ ｍ３ ≦ −１／１３．４           （４’）
であると好ましい。
【手続補正２５】
【補正対象書類名】明細書
【補正対象項目名】００３６
【補正方法】変更
【補正の内容】
【００３６】
請求項１８に記載の発明において、前記波長λ２の光束が前記光学素子に入射した場合に、前記第１回折構造により発生する回折光のうち、最大の回折効率を有する回折光束の次数をｎ２（ｎ２は自然数）とすると、
（ｎ２×λ２）／（ｎ３×λ３）≦ １           （５）
であると好ましい。本構成の作用効果は、請求項５に記載の発明と同様である。
【手続補正２６】
【補正対象書類名】明細書
【補正対象項目名】００３７
【補正方法】変更
【補正の内容】
【００３７】
請求項１８に記載の発明において、前記波長λ２の光束に対する前記光学素子の光学系倍率をｍ２とすると、
−１／１２．０≦ ｍ２ ≦ −１／１７．０     （６）
であると好ましい。本構成の作用効果は、請求項６に記載の発明と同様である。
【手続補正２７】
【補正対象書類名】明細書
【補正対象項目名】００３８
【補正方法】変更
【補正の内容】
【００３８】
請求項１８に記載の発明において、前記波長λ２の光束に対する前記光学素子の光学系倍率をｍ２とすると、
−１／１２．０≦ ｍ２ ≦ −１／１３．４     （６’）
であると好ましい。
【手続補正２８】
【補正対象書類名】明細書
【補正対象項目名】００３９
【補正方法】変更
【補正の内容】
【００３９】
請求項１８に記載の発明において、前記波長λ２の光束を出射する第２光源と、前記波長λ３の光を出射する第３光源とがユニット化されていると好ましい。本構成の作用効果は、請求項７に記載の発明と同様である。
【手続補正２９】
【補正対象書類名】明細書
【補正対象項目名】００４０
【補正方法】変更
【補正の内容】
【００４０】
請求項１８に記載の発明において、前記波長λ２の光束が前記光学素子に入射した場合に、前記第１回折構造により発生する回折光のうち、最大の回折効率を有する回折光束の次数をｎ２（ｎ２は自然数）とすると、
（ｎ１×λ１）／（ｎ２×λ２）≦ １         （７）
であると好ましい。本構成の作用効果は、請求項８に記載の発明と同様である。
【手続補正３０】
【補正対象書類名】明細書
【補正対象項目名】００４１
【補正方法】変更
【補正の内容】
【００４１】
請求項１８に記載の発明において、前記波長λ２の光束に対する前記光学素子の光学系倍率をｍ２とすると、
ｍ２＝０               （８）
であると好ましい。本構成の作用効果は、請求項９に記載の発明と同様である。
【手続補正３１】
【補正対象書類名】明細書
【補正対象項目名】００４２
【補正方法】変更
【補正の内容】
【００４２】
請求項１８に記載の発明において、前記第１回折構造が、光源波長がより長くなるよう変化すると、前記回折構造を通過した光束において球面収差をよりアンダーにする光学特性を有すると好ましい。本構成の作用効果は、請求項１０に記載の発明と同様である。
【手続補正３２】
【補正対象書類名】明細書
【補正対象項目名】００４３
【補正方法】変更
【補正の内容】
【００４３】
請求項１８に記載の発明において、前記波長λ１の光束を出射する第１光源と、前記波長λ２の光を出射する第２光源とがユニット化されていると好ましい。本構成の作用効果は、請求項１１に記載の発明と同様である。
【手続補正３３】
【補正対象書類名】明細書
【補正対象項目名】００４４
【補正方法】変更
【補正の内容】
【００４４】
請求項１８に記載の発明において、前記光学素子が対物レンズであると好ましい。
【手続補正３４】
【補正対象書類名】明細書
【補正対象項目名】００４５
【補正方法】変更
【補正の内容】
【００４５】
請求項１８に記載の発明において、前記波長λ２の光束は、前記光学素子に対して発散光束の状態で入射し、且つ前記第２光源と前記光学素子との間にはカップリングレンズが配置されていると好ましい。
【手続補正３５】
【補正対象書類名】明細書
【補正対象項目名】００４６
【補正方法】変更
【補正の内容】
【００４６】
請求項１８に記載の発明において、前記第２光情報記録媒体に対して情報の記録及び／又は再生を行う際の開口数ＮＡＤに対応する位置を境界として、前記カップリングレンズの光学面を、光軸に近い内側領域と、光軸から遠い外側領域とに分けたとき、前記波長λ２の光束は、前記内側領域を通過したときと、前記外側領域とを通過したときとで発散角が異なると好ましい。
【手続補正３６】
【補正対象書類名】明細書
【補正対象項目名】００５０
【補正方法】変更
【補正の内容】
【００５０】
請求項１８に記載の発明において、前記外側領域を通過した前記波長λ２の光束の発散角は、前記内側領域を通過した前記波長λ２の光束の発散角よりも大きいと、好ましくは上述の効果をより有効に発揮できる。
【手続補正３７】
【補正対象書類名】明細書
【補正対象項目名】００５１
【補正方法】変更
【補正の内容】
【００５１】
請求項１８に記載の発明において、前記波長λ３の光束は、前記カップリングレンズを通過して前記光学素子に入射すると、光ピックアップ装置の構成を簡素化できる。
【手続補正３８】
【補正対象書類名】明細書
【補正対象項目名】００５２
【補正方法】変更
【補正の内容】
【００５２】
請求項１８に記載の発明において、前記第３光情報記録媒体に対して情報の記録及び／又は再生を行う際の開口数ＮＡＣに対応する位置を境界として、前記カップリングレンズの光学面を、光軸に近い内側領域と、光軸から遠い外側領域とに分けたとき、前記波長λ３の光束は、前記内側領域を通過したときと、前記外側領域とを通過したときとで発散角が異なると、波長λ３の光束を有限光束の状態で対物光学素子に入射させた場合にも、より適切な情報の記録及び／又は再生を行うことができる。
【手続補正３９】
【補正対象書類名】明細書
【補正対象項目名】００５３
【補正方法】変更
【補正の内容】
【００５３】
請求項１８に記載の発明において、前記カップリングレンズの前記内側領域と前記外側領域の少なくとも一方に回折構造を設ければ、上述の作用を実現できる。
【手続補正４０】
【補正対象書類名】明細書
【補正対象項目名】００５４
【補正方法】変更
【補正の内容】
【００５４】
請求項１８に記載の発明において、前記第２光情報記録媒体に対して情報の記録及び／又は再生を行う際の開口数ＮＡＤに対応する位置を境界として、前記カップリングレンズの光学面を、光軸に近い内側領域と、光軸から遠い外側領域とに分けたとき、前記波長λ２の光束を通過させないダイクロイックコートを前記外側領域に施し、前記第２光情報記録媒体に対して情報の記録及び／又は再生を行う際の開口数ＮＡＤに対応する位置を境界として、前記光学素子の光学面を、光軸に近い内側領域と、光軸から遠い外側領域とに分けたとき、前記波長λ２の光束を通過させないダイクロイックコートを前記外側領域に施していると、対物光学素子の開口数ＮＡＤに対応した有効径と、カップリングレンズの開口数ＮＡＤに対応した有効径が重合した領域のみを通過した収差劣化の少ない光束を用いて、適切に情報の記録及び／又は再生を行うことができる。尚、「光束を通過させない」とは、情報の記録及び／又は再生に影響を与えない程度に光透過量を減少させる（光透過量ゼロを含む）ことを意味する。
【手続補正４１】
【補正対象書類名】明細書
【補正対象項目名】００５５
【補正方法】変更
【補正の内容】
【００５５】
請求項１８に記載の発明において、前記第３光源と前記光学素子との間にはカップリングレンズが配置されており、前記第３光情報記録媒体に対して情報の記録及び／又は再生を行う際の開口数ＮＡＣに対応する位置を境界として、前記カップリングレンズの光学面を、光軸に近い内側領域と、光軸から遠い外側領域とに分けたとき、前記波長λ３の光束を通過させないダイクロイックコートを前記外側領域に施し、前記第３光情報記録媒体に対して情報の記録及び／又は再生を行う際の開口数ＮＡＣに対応する位置を境界として、前記光学素子の光学面を、光軸に近い内側領域と、光軸から遠い外側領域とに分けたとき、前記波長λ３の光束を通過させないダイクロイックコートを前記外側領域に施していると、対物光学素子の開口数ＮＡＣに対応した有効径と、カップリングレンズの開口数ＮＡＣに対応した有効径が重合した領域のみを通過した収差劣化の少ない光束を用いて、適切に情報の記録及び／又は再生を行うことができる。
【手続補正４２】
【補正対象書類名】明細書
【補正対象項目名】００５６
【補正方法】変更
【補正の内容】
【００５６】
請求項１８の光ピックアップ装置に用いるカップリングレンズにおいて、前記波長λ１の光束は、前記カップリングレンズを通過して前記光学素子に入射すると好ましい。
【手続補正４３】
【補正対象書類名】明細書
【補正対象項目名】００５７
【補正方法】変更
【補正の内容】
【００５７】
請求項１８に記載の発明において、前記波長λ３の光束の光路上において、前記集光光学系より光源側に、前記波長λ３の光束に対する開口制限素子が配置されていると、前記第３光情報記録媒体に対して適切に情報の記録及び／又は再生を行える。
【手続補正４４】
【補正対象書類名】明細書
【補正対象項目名】００５８
【補正方法】変更
【補正の内容】
【００５８】
請求項１８に記載の発明において、前記開口制限素子はダイクロイックフィルタであると好ましい。
【手続補正４５】
【補正対象書類名】明細書
【補正対象項目名】００５９
【補正方法】変更
【補正の内容】
【００５９】
請求項１８に記載の発明において、前記開口制限素子はダイクロイックプリズムであると好ましい。
【手続補正４６】
【補正対象書類名】明細書
【補正対象項目名】００６０
【補正方法】変更
【補正の内容】
【００６０】
請求項１８に記載の発明において、前記開口制限素子はカップリングレンズであると好ましい。
【手続補正４７】
【補正対象書類名】明細書
【補正対象項目名】００６１
【補正方法】変更
【補正の内容】
【００６１】
請求項１８に記載の発明において、前記開口制限素子は位相差板であると好ましい。
【手続補正４８】
【補正対象書類名】明細書
【補正対象項目名】００６２
【補正方法】変更
【補正の内容】
【００６２】
請求項１８に記載の発明において、前記光学素子の少なくとも一つの光学面は、前記第１光情報記録媒体、前記第２光情報記録媒体及び前記第３光情報記録媒体に対してそれぞれ記録及び／又は再生を行うために、前記第１光源、前記第２光源及び前記第３光源からそれぞれ照射された波長λ１，λ２及びλ３の光束を通過させる第１領域と、前記第１光情報記録媒体及び前記第２光情報記録媒体に対してそれぞれ記録及び／又は再生を行うために、前記第１光源及び前記第２光源からそれぞれ照射された波長λ１及びλ２の光束を通過させるが、前記第３光源から照射された波長λ３の光束が通過しないダイクロイックコートを施した第２領域と、を有すると好ましい。本構成の作用効果は、請求項１３に記載の発明と同様である。
【手続補正４９】
【補正対象書類名】明細書
【補正対象項目名】００６３
【補正方法】変更
【補正の内容】
【００６３】
請求項１８に記載の発明において、前記ダイクロイックコートが施されている光学面には、回折構造が設けられていないと好ましい。
【手続補正５０】
【補正対象書類名】明細書
【補正対象項目名】００６４
【補正方法】変更
【補正の内容】
【００６４】
請求項１８に記載の発明において、前記集光光学系の少なくとも一つの光学面は、前記第１光情報記録媒体、前記第２光情報記録媒体及び前記第３光情報記録媒体に対してそれぞれ記録及び／又は再生を行うために、前記第１光源、前記第２光源及び前記第３光源からそれぞれ照射された波長λ１，λ２及びλ３の光束を通過させる第１領域と、前記第１光情報記録媒体及び前記第２光情報記録媒体に対してそれぞれ記録及び／又は再生を行うために、前記第１光源及び前記第２光源からそれぞれ照射された波長λ１及びλ２の光束を通過させるが、前記第３光源から照射された波長λ３の光束が通過しないダイクロイックコートを施した第２領域と、を有していると、前記第３光情報記録媒体に対して適切に情報の記録及び／又は再生を行える。
【手続補正５１】
【補正対象書類名】明細書
【補正対象項目名】００６５
【補正方法】変更
【補正の内容】
【００６５】
請求項１８に記載の発明において、前記光学素子の少なくとも一つの光学面は、前記第１光情報記録媒体、前記第２光情報記録媒体及び前記第３光情報記録媒体に対してそれぞれ記録及び／又は再生を行うために、前記第１光源、前記第２光源及び前記第３光源からそれぞれ照射された波長λ１，λ２及びλ３の光束を通過させる第１領域と、前記第１光情報記録媒体及び前記第２光情報記録媒体に対してそれぞれ記録及び／又は再生を行うために、前記第１光源及び前記第２光源からそれぞれ照射された波長λ１及びλ２の光束を通過させて情報記録面に集光させるが、前記第３光源から照射された波長λ３の光束が通過しても情報記録面に集光させない第２領域と、を有し、前記第１領域には第１回折構造が設けられており、前記第２領域には第２回折構造が設けられており、前記第１回折構造により生じる波長λ１の回折光のうち、最大の回折効率を有する回折光の次数をｎ１Ａとし、前記第１回折構造により生じる波長λ２の回折光のうち、最大の回折効率を有する回折光の次数をｎ１Ｄとし、前記第２回折構造により生じる波長λ１の回折光のうち、最大の回折効率を有する回折光の次数をｎ２Ａとし、前記第２回折構造により生じる波長λ２の回折光のうち、最大の回折効率を有する回折光の次数をｎ２Ｄとしたときに、
ｎ１Ａ：ｎ１Ｄ≠ｎ２Ａ：ｎ２Ｄ           （９）
であると好ましい。本構成の作用効果は、請求項１４に記載の発明と同様である。
【手続補正５２】
【補正対象書類名】明細書
【補正対象項目名】００６６
【補正方法】変更
【補正の内容】
【００６６】
請求項１８に記載の発明において、前記光学素子の少なくとも一つの光学面は、前記第１光情報記録媒体、前記第２光情報記録媒体及び前記第３光情報記録媒体に対してそれぞれ記録及び／又は再生を行うために、前記第１光源、前記第２光源及び前記第３光源からそれぞれ照射された波長λ１，λ２及びλ３の光束を通過させる第１領域と、前記第１光情報記録媒体及び前記第２光情報記録媒体に対してそれぞれ記録及び／又は再生を行うために、前記第１光源及び前記第２光源からそれぞれ照射された波長λ１及びλ２の光束を通過させて情報記録面に集光させるが、前記第３光源から照射された波長λ３の光束が通過しても情報記録面に集光させない第２領域と、を有し、前記第１領域には第１回折構造が設けられており、前記第２領域には第２回折構造が設けられており、前記第１回折構造により生じる波長λ１の回折光のうち、最大の回折効率を有する回折光の次数をｎ１Ａとし、前記第１回折構造により生じる波長λ２の回折光のうち、最大の回折効率を有する回折光の次数をｎ１Ｄとし、前記第２回折構造により生じる波長λ１の回折光のうち、最大の回折効率を有する回折光の次数をｎ２Ａとし、前記第２回折構造により生じる波長λ２の回折光のうち、最大の回折効率を有する回折光の次数をｎ２Ｄとしたときに、
ｎ１Ａ：ｎ１Ｄ＝ｎ２Ａ：ｎ２Ｄ         （１０）
であり、ｎ２Ａは奇数であると好ましい。本構成の作用効果は、請求項１５に記載の発明と同様である。
【手続補正５３】
【補正対象書類名】明細書
【補正対象項目名】００６７
【補正方法】変更
【補正の内容】
【００６７】
請求項１８に記載の発明において、ｎ２Ａ＝５、ｎ２Ｄ＝３であると好ましい。
【手続補正５４】
【補正対象書類名】明細書
【補正対象項目名】００６８
【補正方法】変更
【補正の内容】
【００６８】
請求項１８に記載の発明において、ｎ２Ａ＝３、ｎ２Ｄ＝２であると好ましい。
【手続補正５５】
【補正対象書類名】明細書
【補正対象項目名】００６９
【補正方法】変更
【補正の内容】
【００６９】
請求項１８に記載の発明において、前記第２回折構造により生じる波長λ３の回折光のうち、最大の回折効率は６０％以下であると好ましい。本構成の作用効果は、請求項１６に記載の発明と同様である。
【手続補正５６】
【補正対象書類名】明細書
【補正対象項目名】００７０
【補正方法】変更
【補正の内容】
【００７０】
請求項１８に記載の発明において、前記波長λ１の光束に対して色補正を行うと好ましい。本構成の作用効果は、請求項１７に記載の発明と同様である。
【手続補正５７】
【補正対象書類名】明細書
【補正対象項目名】００７１
【補正方法】変更
【補正の内容】
【００７１】
請求項１９に記載の光ピックアップ装置は、請求項１８に記載の発明において、前記第３光源はホロレーザであると、前記第３光源と光検出器をユニット化したものであるから、光ピックアップ装置をよりコンパクト化できる。
【手続補正５８】
【補正対象書類名】明細書
【補正対象項目名】００７２
【補正方法】変更
【補正の内容】
【００７２】
請求項２０に記載の光ピックアップ装置は、請求項１８に記載の発明において、前記波長λ１の光束の光路上に、前記波長λ１の光束について色収差補正を行うための第１色収差補正素子が配置されていると、前記第１情報記録媒体に対して適切に情報の記録及び／又は再生を行える。
【手続補正５９】
【補正対象書類名】明細書
【補正対象項目名】００７３
【補正方法】変更
【補正の内容】
【００７３】
請求項２０の発明において、前記波長λ２の光の光路上に、前記波長λ２の光束について色収差補正を行うための第２色収差補正素子が配置されていると、前記第２光情報記録媒体に対して適切に情報の記録及び／又は再生を行える。
【手続補正６０】
【補正対象書類名】明細書
【補正対象項目名】００７４
【補正方法】変更
【補正の内容】
【００７４】
請求項１８に記載の発明において、前記波長λ１の光束のみが通過する光路上に、前記波長λ１の光束について色収差補正を行うための第１色収差補正素子が配置され、前記波長λ２の光束のみが通過する光路上に、前記波長λ２の光束について色収差補正を行うための第２色収差補正素子が配置されていると、前記第１及び前記第２光情報記録媒体に対して適切に情報の記録及び／又は再生を行える。
【手続補正６１】
【補正対象書類名】明細書
【補正対象項目名】００７５
【補正方法】変更
【補正の内容】
【００７５】
請求項１８に記載の発明において、前記波長λ１の光束と前記波長λ２の光束とが共通して通過する光路上に、前記波長λ１の光束について色収差補正を行うための第１色収差補正素子が配置され、前記波長λ２の光束のみが通過する光路上に、前記波長λ２の光束について色収差補正を行うための第２色収差補正素子が配置されていると、前記第１及び前記第２光情報記録媒体に対して適切に情報の記録及び／又は再生を行える。
【手続補正６２】
【補正対象書類名】明細書
【補正対象項目名】００７６
【補正方法】変更
【補正の内容】
【００７６】
請求項１８に記載の発明に、又はそれに上記構成を加えた光ピックアップ装置において、前記波長λ１の光束と前記波長λ２の光束とが共通して通過する光路上にコリメータが配置されていると、前記第１及び前記第２光情報記録媒体に対して適切に情報の記録及び／又は再生を行える。
【手続補正６３】
【補正対象書類名】明細書
【補正対象項目名】００７７
【補正方法】変更
【補正の内容】
【００７７】
請求項１８に記載の発明に上記構成を加えた光ピックアップ装置において、前記波長λ１の光束が通過する光路上には、前記コリメータより光源側に、前記波長λ１の光束を整形するための第１ビームシェイパーが配置されていると、前記第１光情報記録媒体に対して適切に情報の記録及び／又は再生を行える。
【手続補正６４】
【補正対象書類名】明細書
【補正対象項目名】００７８
【補正方法】変更
【補正の内容】
【００７８】
請求項１８に記載の発明に上記構成を加えた光ピックアップ装置において、前記第１ビームシェイパーは、前記波長λ１の光束について色収差を補正すると、前記第１光情報記録媒体に対して適切に情報の記録及び／又は再生を行えるとともに、光ピックアップ装置の構成をより簡素化できる。
【手続補正６５】
【補正対象書類名】明細書
【補正対象項目名】００７９
【補正方法】変更
【補正の内容】
【００７９】
請求項１８に記載の発明に上記構成を加えた光ピックアップ装置において、前記波長λ２の光束が通過する光路上には、前記コリメータより光源側に、前記波長λ２の光束を整形するための第２ビームシェイパーが配置されていると、前記第２光情報記録媒体に対して適切に情報の記録及び／又は再生を行える。
【手続補正６６】
【補正対象書類名】明細書
【補正対象項目名】００８０
【補正方法】変更
【補正の内容】
【００８０】
請求項１８に記載の発明に上記構成を加えた光ピックアップ装置において、前記第２ビームシェイパーは、前記波長λ２の光束について色収差を補正すると、前記第２光情報記録媒体に対して適切に情報の記録及び／又は再生を行えるとともに、光ピックアップ装置の構成をより簡素化できる。
【手続補正６７】
【補正対象書類名】明細書
【補正対象項目名】００８１
【補正方法】変更
【補正の内容】
【００８１】
請求項１８に記載の発明に上記構成を加えた光ピックアップ装置において、前記波長λ１の光束と前記第２の光束とが共通して通過する光路上には、前記コリメータより光源側に、前記波長λ１の光束を整形し又は前記波長λ２の光束を整形するためのビームシェイパーが配置されていると、前記第１及び前記第２光情報記録媒体に対して適切に情報の記録及び／又は再生を行える。
【手続補正６８】
【補正対象書類名】明細書
【補正対象項目名】００８２
【補正方法】変更
【補正の内容】
【００８２】
請求項１８に記載の発明に上記構成を加えた光ピックアップ装置において、前記コリメータの硝材はプラスチックであると、低コストで生産が可能である。
【手続補正６９】
【補正対象書類名】明細書
【補正対象項目名】００８３
【補正方法】変更
【補正の内容】
【００８３】
請求項１８に記載の発明に上記構成を加えた光ピックアップ装置において、前記波長λ１の光束と前記波長λ２の光束とが共通して通過する光路上において、前記コリメータと前記集光光学系との間に、前記波長λ１の光束を整形し又は前記波長λ２の光束を整形するためのビーム整形プリズムが配置されていると、前記第１及び前記第２光情報記録媒体に対して適切に情報の記録及び／又は再生を行える。
【手続補正７０】
【補正対象書類名】明細書
【補正対象項目名】００８４
【補正方法】変更
【補正の内容】
【００８４】
請求項１８に記載の発明に上記構成を加えた光ピックアップ装置において、前記コリメータの硝材はガラスであると、優れた光学特性を得ることができる。
【手続補正７１】
【補正対象書類名】明細書
【補正対象項目名】００８５
【補正方法】変更
【補正の内容】
【００８５】
請求項１８に記載の発明に上記構成を加えた光ピックアップ装置において、前記波長λ１の光束のみが通過する光路上に第１コリメータが配置され、前記波長λ２の光束のみが通過する光路上に第２コリメータが配置されていると、前記第１及び前記第２光情報記録媒体に対して適切に情報の記録及び／又は再生を行える。
【手続補正７２】
【補正対象書類名】明細書
【補正対象項目名】００８６
【補正方法】変更
【補正の内容】
【００８６】
請求項１８に記載の発明に上記構成を加えた光ピックアップ装置において、前記第１コリメータと前記第２コリメータのうち、少なくとも一方のコリメータの硝材はプラスチックであると、低コストで生産できる。
【手続補正７３】
【補正対象書類名】明細書
【補正対象項目名】００８７
【補正方法】変更
【補正の内容】
【００８７】
請求項１８に記載の発明に上記構成を加えた光ピックアップ装置において、プラスチックを硝材とする前記少なくとも一方のコリメータが色収差補正素子であると、前記第１及び／又は前記第２光情報記録媒体に対して適切に情報の記録及び／又は再生を行える。
【手続補正７４】
【補正対象書類名】明細書
【補正対象項目名】００８８
【補正方法】変更
【補正の内容】
【００８８】
請求項１８に記載の発明に上記構成を加えた光ピックアップ装置において、前記波長λ１の光束が通過する光路上には、前記第１コリメータより光源側に、前記波長λ１の光束を整形するための第１ビームシェイパーが配置されていると、前記第１光情報記録媒体に対して適切に情報の記録及び／又は再生を行える。
【手続補正７５】
【補正対象書類名】明細書
【補正対象項目名】００８９
【補正方法】変更
【補正の内容】
【００８９】
請求項１８に記載の発明に上記構成を加えた光ピックアップ装置において、前記第１ビームシェイパーは前記第１色収差補正素子であると、前記第１光情報記録媒体に対して適切に情報の記録及び／又は再生を行えるとともに、光ピックアップ装置の構成をより簡素化できる。
【手続補正７６】
【補正対象書類名】明細書
【補正対象項目名】００９０
【補正方法】変更
【補正の内容】
【００９０】
請求項１８に記載の発明に上記構成を加えた光ピックアップ装置において、前記波長λ２の光束が通過する光路上には、前記コリメータより光源側に、前記波長λ２の光束を整形するための第２ビームシェイパーが配置されていると、前記第２光情報記録媒体に対して適切に情報の記録及び／又は再生を行える。
【手続補正７７】
【補正対象書類名】明細書
【補正対象項目名】００９１
【補正方法】変更
【補正の内容】
【００９１】
請求項１８に記載の発明に上記構成を加えた光ピックアップ装置において、前記第２ビームシェイパーは前記第２色収差補正素子であると、前記第２光情報記録媒体に対して適切に情報の記録及び／又は再生を行えるとともに、光ピックアップ装置の構成をより簡素化できる。
【手続補正７８】
【補正対象書類名】明細書
【補正対象項目名】００９２
【補正方法】変更
【補正の内容】
【００９２】
請求項１８に記載の発明に上記構成を加えた光ピックアップ装置において、前記波長λ１の光の光路上には、前記第１コリメータと前記集光光学系との間に、前記波長λ１の光束を整形するための第１ビーム整形プリズムが配置されていると、前記第１光情報記録媒体に対して適切に情報の記録及び／又は再生を行える。
【手続補正７９】
【補正対象書類名】明細書
【補正対象項目名】００９３
【補正方法】変更
【補正の内容】
【００９３】
請求項１８に記載の発明に上記構成を加えた光ピックアップ装置において、前記波長λ２の光の光路上には、前記第２コリメータと前記集光光学系との間に、前記波長λ２の光束を整形するための第２ビーム整形プリズムが配置されていると、前記第２光情報記録媒体に対して適切に情報の記録及び／又は再生を行える。
【手続補正８０】
【補正対象書類名】明細書
【補正対象項目名】００９４
【補正方法】変更
【補正の内容】
【００９４】
請求項１８に記載の発明に上記構成を加えた光ピックアップ装置において、前記光学素子が対物レンズ（すなわち対物光学素子）であると好ましい。